(57)【要約】ＭＯＳＦＥＴ集積回路における、プロセスによって誘起される閾値電圧及び駆動電流の変動を自動的に補償する方法。前記方法の第１ステップは、アレイから解析対象のトランジスタを選択することである。前記方法は、アレイの複数のトランジスタに対して所望のループ処理を行う。次に、選択されたトランジスタの設計を解析する。この解析においては、近隣のレイアウトによって誘起される閾値電圧の変動を決定する工程と、近隣のレイアウトによって誘起される駆動電流の変動を決定する工程とが含まれる。前記方法は、次に、トランジスタのゲート長を変更することにより、何れかの決定された変動に対して補償を行う。前記方法には、更に、コンタクトの間隔を変更することにより補償が不十分な点を特定する工程を含めることができる。
2010529649.tif 000002
【特許請求の範囲】
【請求項１】
ＭＯＳＦＥＴ集積回路における、プロセスによって誘起される閾値電圧及び駆動電流の変動を自動的に補償する方法であって、
アレイから解析対象のトランジスタを選択する工程と、
選択された前記トランジスタの設計を解析する工程と、を備え、
前記トランジスタの設計を解析する工程が、
近隣のレイアウトによって誘起される閾値電圧変動を決定する工程と、
近隣のレイアウトによって誘起される駆動電流変動を決定する工程と、
前記トランジスタのゲート長を変更することにより、決定された何れかの変動に対して補償を試みる工程と、を備えることを特徴とする補償方法。
【請求項２】
前記トランジスタの設計を解析する工程が、コンタクト間隔を変更することにより、補償において不十分な点を特定する工程を更に備えることを特徴とする請求項１に記載の補償方法。
【請求項３】
前記アレイ内の全てのトランジスタが解析されるまで、解析対象のトランジスタの選択を続行する工程を更に備えることを特徴とする請求項１に記載の補償方法。
【請求項４】
前記アレイ内の選択された一部のトランジスタが全て解析されるまで、解析対象のトランジスタの選択を続行する工程を更に備えることを特徴とする請求項１に記載の補償方法。
【請求項５】
ＭＯＳＦＥＴ集積回路における、プロセスによって誘起される閾値電圧及び駆動電流の変動を補償するシステムであって、
処理装置、データ蓄積手段、表示手段を備えるディジタルコンピュータと、
前記データ蓄積手段に格納されたコンピュータプログラムと、を備え、
前記コンピュータプログラムが、
前記アレイから解析対象のトランジスタを選択する工程と、
選択された前記トランジスタの設計を解析する工程と、を実行するように構成されており、
前記トランジスタの設計を解析する工程が、
近隣のレイアウトによって誘起される閾値電圧変動を決定する工程と、
近隣のレイアウトによって誘起される駆動電流変動を決定する工程と、
前記トランジスタのゲート長を変更することにより、決定された何れかの変動に対して補償を試みる工程と、を備えることを特徴とするシステム。
【請求項６】
前記トランジスタの設計を解析する工程が、コンタクト間隔を変更することにより、補償において不十分な点を特定する工程を更に備えることを特徴とする請求項５に記載のシステム。
【請求項７】
前記アレイ内の全てのトランジスタが解析されるまで、解析対象のトランジスタの選択を続行する工程を更に備えることを特徴とする請求項５に記載のシステム。
【請求項８】
前記アレイ内の選択された一部のトランジスタが全て解析されるまで、解析対象のトランジスタの選択を続行する工程を更に備えることを特徴とする請求項５に記載のシステム。
【請求項９】
ＭＯＳＦＥＴ集積回路における、プロセスによって誘起される閾値電圧及び駆動電流の変動を補償するシステムであって、
アレイから解析対象のトランジスタを選択する手段と、
選択された前記トランジスタの設計を解析する手段と、を備え、
前記トランジスタの設計を解析する手段が、
近隣のレイアウトによって誘起される閾値電圧変動を決定する工程と、
近隣のレイアウトによって誘起される駆動電流変動を決定する工程と、
前記トランジスタのゲート長を変更することにより、決定された何れかの変動に対して補償を試みる工程と、を備えることを特徴とするシステム。
【請求項１０】
前記トランジスタの設計を解析する手段が、コンタクト間隔を変更することにより、補償において不十分な点を特定する工程を更に備えることを特徴とする請求項９に記載のシステム。
【請求項１１】
前記アレイ内の全てのトランジスタが解析されるまで、解析対象のトランジスタの選択を続行する工程を更に備えることを特徴とする請求項９に記載のシステム。
【請求項１２】
前記アレイ内の選択された一部のトランジスタが全て解析されるまで、解析対象のトランジスタの選択を続行する工程を更に備えることを特徴とする請求項９に記載のシステム。
【発明の詳細な説明】
【技術分野】
【０００１】
本発明は、集積回路装置、特に、トランジスタアレイにおける性能変動の補償に関する。
【背景技術】
【０００２】
従来の集積回路設計において、設計者は、ＭＯＳＦＥＴゲートの性能特性が、チャネルの幅、及び、長さによって決定されるものと考えてきた。
【０００３】
尚、本願で使用される「性能特性」とは、当業者がこの用語について一般的に理解する意味と一致する。具体的には、当該用語には、設計時のＭＯＳＦＥＴの駆動電流と閾値電圧の両方が含まれる。
【０００４】
サブ１００ｎｍの形状の出現、及び、歪工学等の技術（本願の譲渡人によって所有され、本願に援用される２００５年１２月１日に提出された「トランジスタ特性に与える応力の影響の解析」と題する米国特許出願１１／２９１，２９４を参照）によって、他のＭＯＳＦＥＴ素子、コンタクト等の集積回路アレイ内において隣接する要素の近接性に起因する新たな変動が生じることが分かってきた。
【０００５】
現在の設計技術では、このような変動に対して有効に対処することができない。通常、設計者は、シミュレーションによってＭＯＳＦＥＴ集積回路のレイアウトを行う。予期せぬ変動が起きた場合、通常まず初めに考えられることは、プロトタイプをシリコン内に製造した後の、実際の回路の不具合である。このような状況では、コストと時間のかかる再設計が必要となる。したがって、サブ１００ｎｍの技術は、プロセスによって変動が誘起される問題に対処するための方法及びシステムを提供することによってより便利で効果的な設計を実現する機会をもたらした。
【発明の概要】
【０００６】
本発明の一態様は、ＭＯＳＦＥＴ集積回路における、プロセスによって誘起される閾値電圧及び駆動電流の変動を自動的に補償する方法である。前記方法の第１ステップでは、アレイから解析対象のトランジスタを選択する。前記方法は、アレイ内の複数のトランジスタに対して所望のループ処理を行う。次に、選択されたトランジスタの設計を解析する。この解析工程には、近隣のレイアウトによって誘起される閾値電圧変動を決定する工程と、近隣のレイアウトによって誘起される駆動電流変動を決定する工程とが含まれる。前記方法は、次に、トランジスタのゲート長を変更することにより、決定された何れかの変動に対して補償を試みる。更に、前記方法には、コンタクト間隔を変更することにより補償が不十分な点を特定する工程を含めることができる。
【図面の簡単な説明】
【０００７】
【図１】ＭＯＳＦＥＴトランジスタを示す図であり、応力に関連する性能変動の原因を示す図。
【図２ａ】集積回路レイアウトの一部を示す平面図。
【図２ｂ】ＭＯＳＦＥＴの性能をゲート間隔の関数として示したグラフ。
【図３】コンタクトの間隔が異なる３つのＭＯＳＦＥＴトランジスタを示した図で、結果として現れる応力パターンを示した図。
【図４】集積回路のより広い部分を示す図で、プロセスによって誘起される様々な種類の変動を示した図。
【図５ａ】イオン変化とゲート長の関係を示したグラフであり、本発明方法を示す図。
【図５ｂ】イオン変化とポリ間隔の関係を示したグラフであり、本発明方法を示す図。
【図５ｃ】イオン変化とゲート長の関係、及び、イオン変化とポリ間隔の関係を組合せて示したグラフであり、本発明方法を示す図。
【図６】本発明に係る、プロセスによって誘起される変動を補償する処理の一実施形態を示す図。
【発明を実施するための形態】
【０００８】
以下、図面に基づいて詳細な説明を行う。好ましい実施形態は、本発明を説明するために記述されるのであり、請求項によって定義される本発明の範囲を限定するために記述されるのではない。当業者には、以下の記述に関して様々な同等の変形例が認識される。
【０００９】
本発明は、まず初めに、図１に示されるＭＯＳトランジスタ１０を考慮することにより理解される。図１は、平面図（上部分）、及び、線Ａ−Ａに沿った断面図（下部分）を示している。ここで、拡散領域１２は、拡散領域に形成されたソース領域１６とドレイン領域１８を備え、これらの領域の間隙の上にはゲート１４が重なっている。ゲート１４の下の領域は、チャネル２０である。ゲート１４の両側にはスペーサ２２があり（平面図では図示せず）、窒化物キャップ層２４が全体の構造の上に形成されている。前記ＭＯＳＦＥＴは、トランジスタの両側に形成された、通常は酸化物をベースとした絶縁材料からなるシャロー・トレンチ・アイソレーション（ＳＴＩ）領域２６によって周囲の要素から電気的に分離されている。これらの構成要素とＭＯＳ素子全体に関する材料及び製造技術は当該技術分野において公知であり、したがってここでは詳細には述べない。アレイは部分空乏型シリコン・オン・インシュレータ（ＰＤＳＯＩ  ＭＯＳＦＥＴ）基板に形成されると予想されるが、本出願の教示はバルク構造にも同様に適用することができる。各図面はバルクＭＯＳＦＥＴ素子を示している。
【００１０】
上記で引用した参照文献で述べられているように、これら多数の構成要素が、何らかの機械的応力を引き起こし、その機械的応力が、Ｓｉ及びその他の材料の圧電特性から性能変動を引き起こす。例えば、Ｓｉ、窒化物キャップ層、ＳＴＩ材料の収縮率の差が、チャネルドーパントと同様に、様々な応力を引き起こすと考えられる。こうした応力に対処するプロセスは、引用した上記特許文献に「歪工学」と称して述べられている。
【００１１】
図２ａに、サブ１００ｎｍシステムの開発者が直面する第１の問題が示されている。図２ａでは、２つのＭＯＳＦＥＴ集積回路５０及び５２が平面図に示されており、夫々、ソース領域１６及びドレイン領域１８が形成されている拡散領域の上に３つのゲート領域１４を有する。これらのポリシリコンゲートは、幅及び長さが同じであり、同じ構成となっている。唯一の違いは、アレイ５０のゲート間隔（ピッチＳ１とする）が比較的狭いのに対し、アレイ５２のゲート間隔（距離Ｓ２とする）は広くなっている。従来の設計及び解析に基づけば、ピッチＳ１と距離Ｓ２は何れも、駆動電流及び閾値電圧について同じ性能特性を表すと考えられる。
【００１２】
しかし、図２ｂに示すように、結果はそのようにはならない。イオン変化をｐｏｌｙ−ｔｏ−ｐｏｌｙの距離の関数として示したグラフに示されているように、イオン変化（すなわち、ここではホールから成る電流フローの変化）は、ポリ間隔を広げることによって著しく促進されるが、値が小さい範囲において差が特に極端になっている。したがって、図２ａのアレイが理想的に動作することを期待する設計者は、著しく異なるその結果に非常に驚くことになる。
【００１３】
第２の問題は、図３に示されている。図３では、３つのＭＯＳＦＥＴトランジスタが示されており、夫々、同様の拡散領域の上に形成された同様のゲートを有する。しかし、ここでは、コンタクトとゲートとの間隔が夫々異なっており、各ＭＯＳＦＥＴにおける４つのコンタクトとゲートとの間隔が、ＭＯＳＦＥＴ６０は１８０ｎｍ、ＭＯＳＦＥＴ６２は９０ｎｍ、ＭＯＳＦＥＴ６４は６０ｎｍとなっている。トランジスタ６０の応力プロットを見ると、チャネル領域全体に均一に応力がかかっていることが分かる。一方、トランジスタ６２の場合、いくらか変動が見られ、トランジスタ６４に至っては、チャネルの各端部にのみ高い応力が集中しており、他と比較して均一には分配されておらず、著しく異なっている。引用した上記特許文献で教示されているように、応力が異なれば性能に差が出る。上でも述べたように、従来の設計技術では、これら３つのトランジスタを同じものとして扱い、同じ結果が期待される。しかし、その結果は非常に意外なものとなり、致命的な結果となることも考えられる。
【００１４】
図４は、実際のＭＯＳＦＥＴ集積回路の大きな部分を示している。この図には、複数の拡散領域と共に、ＳＴＩによって分離された２つのチップ表面領域が示されている。当該技術で知られているように、チップ領域には、ｎウェル又はｐウェルと称される、異なる種類の材料からなる領域を含むことができ、両者を用いることによりＣＭＯＳ構造の形成が容易となる。前記２つのチップ領域の下部はｎウェルであり、その境界が示されている。拡散領域からウェルの境界までの距離は、性能に影響することが分かっている。これは、イオン変化ではなくＭＯＳＦＥＴ閾値電圧に影響する点は異なるが、ポリ間隔が異なることによって生じる影響に類似している。したがって、図４の縦方向の矢印Ａ及びＢによって示される距離の変動によって、ポリ間隔及びコンタクト間隔が異なることによる影響と類似した、しかしそれらとは別の影響が生じると考えられる。
【００１５】
図４は典型的な設計における複雑さも同時に示しており、水平な矢印１〜５が互いに異なる各ポリ間隔を示している。また、コンタクト間隔にも複数の違いが見られる。
【００１６】
これらの影響の夫々は、テスト設計による実験を通して、１つのモデルに集約することが可能である。このモデルから、潜在的な問題を示し、補償メカニズムを計算することが可能な関係が導出される。当該モデルの結果は、図４の実施形態によって得られるポリ間隔とイオン変化の関係を示した図５ｃのグラフに見ることができる。同様のモデルは、コンタクト間隔及びｎウェル境界の距離に関しても求められる。
【００１７】
上記モデルに加えて、ここに述べた原則に従った綿密な調査により他の変動も明らかとなった。こうした変動は、ここに述べた方法と同じ方法で複数のモデルに単純化し、解析することができる。本発明の当該実施形態は、以下に添付する特許請求の範囲で述べるように、本発明の精神の範囲内に公正に含まれる。
【００１８】
上記と同様の方法によって存在が明らかとなった変動も含めて上記変動の全ては、材料又は素子自体の固有の特性ではなく、ポリ間隔等のプロセス変数に起因する。したがって、こうした変動をここでは「プロセスによって誘起される」変動と称し、他の原因に起因する変動とは区別する。
【００１９】
先行技術で公知であるように、ゲート長の変化は性能の変化につながる。このことは、図５ａの曲線にも反映されている。しかし、図４の実施例では、ポリ間隔の変動が性能差につながっている。図４の実施例を見ると、例示されたトランジスタＴ１及びＴ２におけるポリ間隔が異なっており、図２ｂの曲線にこれらのトランジスタを配置した図５ｂの曲線に示されているように、これらのポリ間隔は、２及び３に夫々割り当てられる値を有する。トランジスタＴ２の性能特性が全体の設計で用いられる標準値を表すとすると、トランジスタＴ１の性能は１０％程度高く、著しい変動を示すことになる。装置に対してこのような解析を行うことにより、従来の解析に依存することに問題があることが明らかとなる。
【００２０】
本発明は、図５ａ及び５ｂに示された各関係を共に用いて、こうした変動を補償する。図５ｃは、ポリ間隔による変動を下側の横軸に、ゲート長による変動を上側の横軸にとり、交差する曲線を示している。上記記載に基づき、Ｔ２の性能を設計における基準点として選択する。当該装置のゲート長は、図から４５ｎｍであることが分かる。矢印で示されるように、ポリ間隔が変化することによる性能の向上は、Ｔ１のゲート長を４５〜５２ｎｍまで増加させることにより完全に相殺され、結果的にＴ１及びＴ２は同じ性能特性を有することになる。
【００２１】
つまり、発生した変動についてモデルを作成し、これらの変動を使って他の変動を補償して、装置間で性能を均一にすることができる。
【００２２】
図５ｂに示すように、ポリ間隔によって変動が生じるが、イオン変化とゲート長の関係と並べることで、ポリ間隔の変化に対して完全な補償が可能となる。
【００２３】
前記結果を自動的に実現する方法２００の一実施形態を図６に示す。この実施形態は、本願の譲受人が市販するＳＥＩＳＭＯＳソフトウェア等の集積回路自動設計システムの一部として動作する。他の実施形態は、単独で動作するように、或いは、異なる設計環境において動作するモジュールとして構成することが可能である。全ての実施例において、本発明のシステムの動作原則は同じである。当該システムは、パーソナル・コンピュータからサーバー主体のシステムまで、ディジタルコンピュータシステムの範囲において動作可能である。こうした装置の選択及び操作は、当該技術分野の技術範囲内に十分含まれる。
【００２４】
更に、多くのステップは、それらを組み合わせて実行する、或いは、平行して実行する、或いは、異なる順序で実行する等しても、実現される機能には影響しない。幾つかの場合には、ステップを並べ替えても、特定の他の変更が同様に行われる限り、同じ結果が得られる。また、他の場合には、ステップを並べ替えても、特定の条件が満たされる限り、同じ結果が得られる。
【００２５】
コンピュータプログラムは、まず始めにステップ２１０において、ＭＯＳＦＥＴ集積回路の複数のトランジスタ或いは選択された複数のトランジスタの夫々に対するループ処理を設計者の指示通りに制御する。前記方法は、ステップ２１２において、解析に基づいて装置内に存在する各変動を決定し、関連する変数値を発見し、関連するモデルから対応する変動量を得ることから始まる。例えば、上述の図４のトランジスタＴ１の例において、前記システムは、関連するゲート材料のｐｏｌｙ−ｔｏ−ｐｏｌｙ間隔を決定することにより、ポリ間隔による変動を決定する。前記ｐｏｌｙ−ｔｏ−ｐｏｌｙ間隔は、設計システム内のデータを直接用いても良いし、或いは、設計プロセスに用いられるＴＣＡＤシステムを操作して決定しても良い。
【００２６】
各変動を決定するプロセス工程は、全ての公知なモデル構造に対して行うことができるが、設計者が少数のモデルのみを使用することを選択してもよい。何れの場合にも、物理値／変動結果ステップ２１２は、所望する変動情報が決定するまで続けられる。
【００２７】
次に、ステップ２１４において、本実施形態は、図５ｃに関連して示されているように、ゲート長を変更することにより補償を試みる。大部分の場合は、ゲート長の変更によって補償がなされると予想される。また、このパラメータは、比較的変わり易いため、当該補償は製造プロセスにおける複雑さを最小限に抑えて行われる。ステップ２１６の判定において期待する結果が得られた場合、システムはテスト対象の次のトランジスタに処理を移す。
【００２８】
補償が更に必要な場合、ステップ２１８において示されているように、コンタクト間隔を変更することができる。このプロセスは、正確に図５ｃに示されているように進められ、コンタクト間隔モデルを用いて補正データを提供する。補正データはここでは示さないが、当業者は、上述の教示に従って容易に特定のシステムに対して同じデータを得ることができる。操作の成否はステップ２２０において検証される。
【００２９】
自動で行われる何れのステップにおいても、期待された変動に対する補償が失敗した場合、ステップ２２４に示す手動の再設計が必要となる。もちろん、このような「フェイル・セーフ」メカニズムを備えることは必要であるが、これまでの結果により、上述の方法が大半の状況において適切な補償を提供するのに十分であることが分かる。
【００３０】
本発明の別実施形態では、ゲート長のみを変更して、ポリ間隔による変動のみを補償することで、低コストで既存の状況を改善すると共に、二次的な検討及びステップを完全に省くことができるという効果が見込まれる。他の実施形態では、他の診断用及び補償メカニズムを必要に応じて用いることができる。
【００３１】
各実施形態は、本発明の原理及びその実際の応用を最大限に説明するために選択され、記述された。それにより、当業者は、本発明が様々な実施形態をとり、意図する特定の用途に合わせて様々な変形が可能であると理解できる。本発明の範囲は以下の特許請求の範囲とそれに相当するものによって定義される。
【００３２】
本発明は上記で詳細に述べた好ましい実施形態及び実施例を参照することによって開示されるが、これらの例は本発明を限定するためではなく、説明するために示されていると理解される。当業者は、本発明の精神、及び、以下の特許請求の範囲を逸脱しない限り、変形及び組合せを容易に行うことができる。
【図１】
2010529649.tif 000003
【図２ａ】
2010529649.tif 000004
【図３】
2010529649.tif 000005
【図２ｂ】
2010529649.tif 000006
【図４】
2010529649.tif 000007
【図５ａ】
2010529649.tif 000008
【図５ｂ】
2010529649.tif 000009
【図５ｃ】
2010529649.tif 000010
【図６】
2010529649.tif 000011
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
ＭＯＳＦＥＴ集積回路における、プロセスによって誘起される閾値電圧及び駆動電流の変動を自動的に補償する方法であって、
解析対象のトランジスタアレイを選択する工程と、
近隣のレイアウトによって誘起される閾値電圧変動を決定する工程と、近隣のレイアウトによって誘起される駆動電流変動を決定する工程とを含む、前記トランジスタアレイの設計を解析する工程と、
前記トランジスタアレイのゲートピッチを変更することにより、決定された何れかの変動に対して補償を試みる工程と、を備えることを特徴とする補償方法。
【請求項２】
前記トランジスタアレイの設計を解析する工程が、コンタクト間隔を変更することにより、補償において不十分な点を特定する工程を更に備えることを特徴とする請求項１に記載の補償方法。
【請求項３】
全てのトランジスタアレイが解析されるまで、解析対象のトランジスタアレイの選択を続行する工程を更に備えることを特徴とする請求項１に記載の補償方法。
【請求項４】
選択された一部のトランジスタアレイが全て解析されるまで、解析対象のトランジスタアレイの選択を続行する工程を更に備えることを特徴とする請求項１に記載の補償方法。
【請求項５】
ＭＯＳＦＥＴ集積回路における、プロセスによって誘起される閾値電圧及び駆動電流の変動を補償するシステムであって、
処理装置、データ蓄積手段、表示手段を備えるディジタルコンピュータと、
前記データ蓄積手段に格納されたコンピュータプログラムと、を備え、
前記コンピュータプログラムが、
解析対象のトランジスタアレイを選択する工程と、
近隣のレイアウトによって誘起される閾値電圧変動を決定する工程と、近隣のレイアウトによって誘起される駆動電流変動を決定する工程とを含む、前記トランジスタアレイの設計を解析する工程と、
前記トランジスタアレイのゲートピッチを変更することにより、決定された何れかの変動に対して補償を試みる工程と、を実行するように構成されていることを特徴とするシステム。
【請求項６】
前記トランジスタアレイの設計を解析する工程が、コンタクト間隔を変更することにより、補償において不十分な点を特定する工程を更に備えることを特徴とする請求項５に記載のシステム。
【請求項７】
全てのトランジスタアレイが解析されるまで、解析対象のトランジスタアレイの選択を続行する工程を更に備えることを特徴とする請求項５に記載のシステム。
【請求項８】
選択された一部のトランジスタアレイが全て解析されるまで、解析対象のトランジスタアレイの選択を続行する工程を更に備えることを特徴とする請求項５に記載のシステム。
【請求項９】
ＭＯＳＦＥＴ集積回路における、プロセスによって誘起される閾値電圧及び駆動電流の変動を補償するシステムであって、
解析対象のトランジスタアレイを選択する手段と、
近隣のレイアウトによって誘起される閾値電圧変動を決定する工程と、近隣のレイアウトによって誘起される駆動電流変動を決定する工程とを含む、前記トランジスタアレイの設計を解析する手段と、
前記トランジスタアレイのゲートピッチを変更することにより、決定された何れかの変動に対して補償を試みる手段と、を備えることを特徴とするシステム。
【請求項１０】
前記トランジスタアレイの設計を解析する手段が、コンタクト間隔を変更することにより、補償において不十分な点を特定する工程を更に備えることを特徴とする請求項９に記載のシステム。
【請求項１１】
全てのトランジスタアレイが解析されるまで、解析対象のトランジスタアレイの選択を続行する工程を更に備えることを特徴とする請求項９に記載のシステム。
【請求項１２】
選択された一部のトランジスタアレイが全て解析されるまで、解析対象のトランジスタアレイの選択を続行する工程を更に備えることを特徴とする請求項９に記載のシステム。
【国際調査報告】
2010529649.tif 000012